【手続補正書】
【提出日】令和3年11月1日(2021.11.1)
【手続補正１】
【補正対象書類名】特許請求の範囲
【補正対象項目名】全文
【補正方法】変更
【補正の内容】
【特許請求の範囲】
【請求項１】
成分（ａ）：一般式（Ｉ）
（Ｒ２）３Ｎ＋−（ＣＨ２）ｎＣ（Ｒ３）（Ｒ４）−（Ｏ−Ｘ）ｍ−Ｏ−Ｃ（Ｏ）−Ｒ１  Ａ−      （Ｉ）
（式中、
ｎは１〜１２から選択され、
ｍは０であり、
Ｒ１は、メチル、エチル、−ＣＨ（ＯＨ）−ＣＨ（ＯＨ）−ＣＯＯＨ、ＣＨ（ＯＨ）−ＣＨ３、（Ｅ）−ＣＨ＝ＣＨＣＯＯＨ、（Ｚ）−ＣＨ＝ＣＨＣＯＯＨ、−Ｃ６Ｈ５、パラ−ＨＯ−Ｃ６Ｈ４−、ｏ，ｐ−ジヒドロキシフェニルおよび３，４，５−トリヒドロキシフェニルから選択され、
Ｒ２は同じであるかまたは異なり、Ｃ１〜Ｃ１０アルキルおよびフェニルから選択され、
Ｒ３およびＲ４は同じであるかまたは異なり、水素およびＣ１〜Ｃ４アルキルから選択され、
ＸはＣ２〜Ｃ４アルキレンであり、
Ａ−は無機または有機対アニオンである）
による少なくとも１種の塩、
成分（ｂ）：ヒドロラーゼ（ＥＣ３）から選択される、好ましくはリパーゼ（ＥＣ３．１．１）およびエンドペプチダーゼ（ＥＣ３．４．２１）の群から、より好ましくはトリアシルグリセロールリパーゼ（ＥＣ３．１．１．３）およびサブチリシン型プロテアーゼ（ＥＣ．３．４．２１．６２）の群から選択される少なくとも１種の酵素、
ならびに
任意に成分（ｃ）：成分（ａ）とは異なる酵素安定剤、保存剤ならびに好ましくは非イオン性、両性およびアニオン性界面活性剤から選択される界面活性剤から選択される少なくとも１種の化合物
を含有する、液体酵素調製物。
【請求項２】
成分（ａ）がハロゲン化物イオン、硫酸イオン、炭酸イオン、酒石酸イオン、クエン酸イオン、乳酸イオンおよびメタンスルホン酸イオンから選択される対イオンを有する、請求項１に記載の酵素調製物。
【請求項３】
一般式（Ｉ）による化合物のＲ２がすべてメチルである、請求項１または２に記載の酵素調製物。
【請求項４】
前記酵素調製物の総質量に対して０．１〜３０質量％の範囲の量で成分（ａ）を含有する、請求項１〜３のいずれか一項に記載の酵素調製物。
【請求項５】
成分（ａ）が、不純物として化合物（ａ’）：
（Ｒ２）３Ｎ＋−（ＣＨ２）ｎＣ（Ｒ３）（Ｒ４）−（Ｏ−Ｘ）ｍ−ＯＨ    Ｒ１−ＣＯＯ−      （ａ’）
（式中、変数Ｒ１、Ｒ２、Ｘ、ｎおよびｍは対応する成分（ａ）のものと同じである）
を含有する、請求項１〜４のいずれか一項に記載の酵素調製物。
【請求項６】
ホウ素含有化合物およびペプチドアルデヒドから選択される少なくとも１種の酵素安定剤を含む成分（ｃ）を含有する、請求項１〜５のいずれか一項に記載の酵素調製物。
【請求項７】
少なくとも
成分（ａ）：一般式（Ｉ）
（Ｒ２）３Ｎ＋−（ＣＨ２）ｎＣ（Ｒ３）（Ｒ４）−（Ｏ−Ｘ）ｍ−Ｏ−Ｃ（Ｏ）−Ｒ１  Ａ−      （Ｉ）
（式中、
ｎは１〜１２から選択され、
ｍは０であり、
Ｒ１は、メチル、エチル、−ＣＨ（ＯＨ）−ＣＨ（ＯＨ）−ＣＯＯＨ、ＣＨ（ＯＨ）−ＣＨ３、（Ｅ）−ＣＨ＝ＣＨＣＯＯＨ、（Ｚ）−ＣＨ＝ＣＨＣＯＯＨ、−Ｃ６Ｈ５、パラ−ＨＯ−Ｃ６Ｈ４−、ｏ，ｐ−ジヒドロキシフェニルおよび３，４，５−トリヒドロキシフェニルから選択され、
Ｒ２は同じであるかまたは異なり、Ｃ１〜Ｃ１０アルキル、フェニルから選択され、
Ｒ３およびＲ４は同じであるかまたは異なり、水素およびＣ１〜Ｃ４アルキルから選択され、
ＸはＣ２〜Ｃ４アルキレンであり、
Ａ−は無機または有機対アニオンである）
の化合物である少なくとも１種の塩
ならびに
成分（ｂ）：ヒドロラーゼ（ＥＣ３）から選択される、好ましくはリパーゼ（ＥＣ３．１．１）およびエンドペプチダーゼ（ＥＣ３．４．２１）の群から、より好ましくはトリアシルグリセロールリパーゼ（ＥＣ３．１．１．３）およびサブチリシン型プロテアーゼ（ＥＣ３．４．２１．６２）の群から選択される少なくとも１種の酵素
を混合する工程を含む、酵素調製物を製造するための方法。
【請求項８】
ヒドロラーゼ（ＥＣ３）から選択される、好ましくはリパーゼ（ＥＣ３．１．１）およびエンドペプチダーゼ（ＥＣ３．４．２１）の群から、より好ましくはトリアシルグリセロールリパーゼ（ＥＣ３．１．１．３）およびサブチリシン型プロテアーゼ（ＥＣ３．４．２１．６２）の群から選択される少なくとも１種の酵素を、一般式（Ｉ）、
（Ｒ２）３Ｎ＋−（ＣＨ２）ｎＣ（Ｒ３）（Ｒ４）−（Ｏ−Ｘ）ｍ−Ｏ−Ｃ（Ｏ）−Ｒ１  Ａ−      （Ｉ）
（式中、
ｎは１〜１２から選択され、
ｍは０であり、
Ｒ１は、メチル、エチル、−ＣＨ（ＯＨ）−ＣＨ（ＯＨ）−ＣＯＯＨ、ＣＨ（ＯＨ）−ＣＨ３、（Ｅ）−ＣＨ＝ＣＨＣＯＯＨ、（Ｚ）−ＣＨ＝ＣＨＣＯＯＨ、−Ｃ６Ｈ５、パラ−ＨＯ−Ｃ６Ｈ４−、ｏ，ｐ−ジヒドロキシフェニルおよび３，４，５−トリヒドロキシフェニルから選択され、
Ｒ２は同じであるかまたは異なり、Ｃ１〜Ｃ１０アルキル、フェニルから選択され、
Ｒ３およびＲ４は同じであるかまたは異なり、水素およびＣ１〜Ｃ４アルキルから選択され、
ＸはＣ２〜Ｃ４アルキレンであり、
Ａ−は無機または有機対アニオンである）
の少なくとも１種の塩を添加する工程によって、液体酵素調製物中で安定化する方法。
【請求項９】
前記酵素が、好ましくは非イオン性界面活性剤、両性界面活性剤およびアニオン性界面活性剤から選択される少なくとも１種の界面活性剤の存在下で安定化する、請求項８に記載の方法。
【請求項１０】
一般式（Ｉ）、
（Ｒ２）３Ｎ＋−（ＣＨ２）ｎＣ（Ｒ３）（Ｒ４）−（Ｏ−Ｘ）ｍ−Ｏ−Ｃ（Ｏ）−Ｒ１  Ａ−      （Ｉ）
（式中、
ｎは１〜１２から選択され、
ｍは０であり、
Ｒ１は、メチル、エチル、−ＣＨ（ＯＨ）−ＣＨ（ＯＨ）−ＣＯＯＨ、ＣＨ（ＯＨ）−ＣＨ３、（Ｅ）−ＣＨ＝ＣＨＣＯＯＨ、（Ｚ）−ＣＨ＝ＣＨＣＯＯＨ、−Ｃ６Ｈ５、パラ−ＨＯ−Ｃ６Ｈ４−、ｏ，ｐ−ジヒドロキシフェニルおよび３，４，５−トリヒドロキシフェニルから選択され、
Ｒ２は同じであるかまたは異なり、Ｃ１〜Ｃ１０アルキル、フェニルから選択され、
Ｒ３およびＲ４は同じであるかまたは異なり、水素およびＣ１〜Ｃ４アルキルから選択され、
ＸはＣ２〜Ｃ４アルキレンであり、
Ａ−は無機または有機対アニオンである）
の少なくとも１種の塩を、ヒドロラーゼ（ＥＣ３）から選択される、好ましくはリパーゼ（ＥＣ３．１．１）およびエンドペプチダーゼ（ＥＣ３．４．２１）の群から、より好ましくはトリアシルグリセロールリパーゼ（ＥＣ３．１．１．３）およびサブチリシン型プロテアーゼ（ＥＣ３．４．２１．６２）の群から選択される少なくとも１種の酵素の添加剤として使用する方法であって、前記塩および前記酵素が固体であり、前記酵素の安定化が、前記塩および前記酵素が少なくとも１種の溶媒と接触するときに生じる、方法。
【請求項１１】
洗剤配合物に配合される請求項１〜６に記載の液体酵素調製物を使用する方法であって、請求項１〜６に記載の酵素調製物が１または複数の工程で１種または複数の洗剤成分と混合される、方法。
【請求項１２】
成分（ａ）：一般式（Ｉ）
（Ｒ２）３Ｎ＋−（ＣＨ２）ｎＣ（Ｒ３）（Ｒ４）−（Ｏ−Ｘ）ｍ−Ｏ−Ｃ（Ｏ）−Ｒ１  Ａ−      （Ｉ）
（式中、
ｎは１〜１２から選択され、
ｍは０であり、
Ｒ１は、メチル、エチル、−ＣＨ（ＯＨ）−ＣＨ（ＯＨ）−ＣＯＯＨ、ＣＨ（ＯＨ）−ＣＨ３、（Ｅ）−ＣＨ＝ＣＨＣＯＯＨ、（Ｚ）−ＣＨ＝ＣＨＣＯＯＨ、−Ｃ６Ｈ５、パラ−ＨＯ−Ｃ６Ｈ４−、ｏ，ｐ−ジヒドロキシフェニルおよび３，４，５−トリヒドロキシフェニルから選択され、
Ｒ２は同じであるかまたは異なり、Ｃ１〜Ｃ１０アルキル、フェニルから選択され、
Ｒ３およびＲ４は同じであるかまたは異なり、水素およびＣ１〜Ｃ４アルキルから選択され、
ＸはＣ２〜Ｃ４アルキレンであり、
Ａ−は無機または有機対アニオンである）
による少なくとも１種の塩、
成分（ｂ）：ヒドロラーゼ（ＥＣ３）から選択される、好ましくはリパーゼ（ＥＣ３．１．１）およびエンドペプチダーゼ（ＥＣ３．４．２１）の群から、より好ましくはトリアシルグリセロールリパーゼ（ＥＣ３．１．１．３）およびサブチリシン型プロテアーゼ（ＥＣ３．４．２１．６２）の群から選択される少なくとも１種の酵素、
任意に成分（ｃ）：好ましくは上記で開示されるホウ素含有化合物から選択される、より好ましくは上記で開示されるフェニルボロン酸（ＰＢＡ）またはその誘導体から選択される、最も好ましくは４−ホルミルフェニルボロン酸（４−ＦＰＢＡ）である、成分（ａ）とは異なる少なくとも１種の酵素安定剤、ならびに
少なくとも１種の洗剤成分
を含む、液体洗剤配合物。
【請求項１３】
脂肪を含む染みを除去するための方法であって、染みを請求項１２に記載の洗剤配合物と接触させる工程を含み、前記洗剤配合物の成分（ｂ）に含まれる少なくとも１種の酵素が、好ましくはトリアシルグリセロールリパーゼ（ＥＣ３．１．１．３）の群からの少なくとも１種のリパーゼ（ＥＣ３．１．１）を含む、方法。
【請求項１４】
染みが温度≦４０℃で布地から除去される、請求項１３に記載の方法。